(57)【要約】【課題】電子機器の操作を行う場合に、直感的でかつ迅速な操作を実行可能できるようにする。【解決手段】操作装置は、操作データを記憶する外部記憶機器５０との接続が可能な接続部１８と、接続された外部記憶機器５０の筐体の位置変化を、外部記憶機器５０に対してなされた操作として検知する操作検知部１９と、その検知結果に応じて、所定の動作を実行するためのコマンドを電子機器（画像処理装置など）に与える操作制御部２２とを備えている。上記の操作データは、電子機器に特定の動作を行わせるためのコマンドを外部記憶機器５０に対する操作に応じて予め定めたデータである。そして操作制御部２２は、接続された外部記憶機器５０から操作データを読み出して、操作検知部１９にて検知した操作と読み出した操作データとに基づいて、電子機器のメインＣＰＵ１１に特定の動作を行わせるためのコマンドを与える。【選択図】図２
2008283254.tif 000002
【特許請求の範囲】
【請求項１】
電子機器に所定の動作を実行させるための操作装置であって、
外部記憶機器との接続が可能な接続部と、
該接続部により接続された外部記憶機器の筐体の位置変化を、該外部記憶機器に対してなされた操作として検知する操作検知部と、
該操作検知部による検知結果に応じて、特定の動作を実行するためのコマンドを前記電子機器に与える制御部とを備え、
該制御部は、前記外部記憶機器に対する操作を検知したときに該操作に対応するコマンドを指定するよう定められた操作データに基づいて、前記操作検知部にて検知した操作に応じたコマンドを前記電子機器に与えることを特徴とする電子機器の操作装置。
【請求項２】
請求項１に記載の電子機器の操作装置において、
前記操作データが前記外部記憶機器に記憶され、
前記制御部は、接続された前記外部記憶機器から前記操作データを読み出して、該読み出した操作データに基づいて、前記操作検知部にて検知した操作に応じたコマンドを前記電子機器に与えることを特徴とする電子機器の操作装置。
【請求項３】
請求項１または２に記載の電子機器の操作装置において、前記外部記憶機器が接続されたか否かを検出する検出部を備え、前記制御部は、前記検出部により前記外部記憶機器の接続が検出された時に、前記操作データに基づいて前記操作検知部にて検知した操作に応じたコマンドを電子機器に与える動作を行うモードに切り換えることを特徴とする電子機器の操作装置。
【請求項４】
請求項１または２に記載の電子機器の操作装置において、前記操作検知部は、前記外部記憶機器の筐体の傾き方向を前記位置変化として検出することを特徴とする電子機器の操作装置。
【請求項５】
請求項１または２に記載の電子機器の操作装置において、前記操作検知部は、前記外部記憶機器の筐体の傾き角度を前記位置変化として検出することを特徴とする電子機器の操作装置。
【請求項６】
請求項１または２に記載の電子機器の操作装置において、前記操作検知部は、前記外部記憶機器の筐体の長手方向を回転軸とする回転角度を前記位置変化として検出することを特徴とする電子機器の操作装置。
【請求項７】
請求項５に記載の電子機器の操作装置において、前記制御部は、前記外部記憶機器に対してなされた操作が所定時間継続されたかどうかを判別し、該所定時間継続された場合と継続されたかった場合とで、前記電子機器に与えるコマンドを切り換えることを特徴とする電子機器の操作装置。
【請求項８】
請求項１または２に記載の電子機器の操作装置において、前記制御部は、前記操作データが前記外部記憶機器に記憶されている場合、前記外部記憶機器から読みだした操作データに基づいて前記操作検知部にて検知した操作に応じたコマンドを電子機器に与える動作を行い、
前記操作データが前記外部記憶機器に記憶されていない場合、予め決められた操作データに基づいて前記操作検知部にて検知した操作に応じたコマンドを電子機器に与える動作を行うことを特徴とする電子機器の操作装置。
【請求項９】
請求項１から８のいずれか１に記載の電子機器の操作装置と、該電子機器の操作装置に接続可能な外部記憶機器とからなる電子機器の操作システムであって、
前記外部記憶機器は、該外部記憶機器に記憶しているデータの一覧を表示可能な表示部を有し、前記操作データには、該外部記憶機器に保持されているデータ一覧を表示させるコマンドと、前記表示部に表示させたデータの一覧から、前記電子機器で所定の動作を行うためのデータを選択するコマンドとが該外部記憶機器に対する操作に応じて設定されていることを特徴とする電子機器の操作システム。
【請求項１０】
請求項１から８のいずれか１に記載の電子機器の操作装置を備えた画像処理装置。
【請求項１１】
請求項９に記載の電子機器の操作システムを備えた画像処理装置。
【発明の詳細な説明】
【技術分野】
【０００１】
本発明は、電子機器の操作装置、操作システム及びこれらを備えた画像処理装置に関し、より詳細には、電子機器に所定の動作を実行させるためのコマンドを与える操作装置と、該操作装置と外部記憶機器よりなる電子機器システムと、これらを備えた画像処理装置とに関する。
【背景技術】
【０００２】
一般に各種電子機器では、ユーザが電子機器に対して所定の操作を行うことにより、その操作に応じてその電子機器の所定の機能を実行できるようにしている。例えば、電子機器では、スイッチやボタンなどの操作手段によりユーザの操作を受け付けたり、表示手段にメニュー表示などを行ってタッチパネルやポインティングデバイス、キーボードなどによる操作入力などを受け付けたりするような構成が採られている。
【０００３】
上記のような電子機器においては、各種多数の機能を併せ持つものが多い。しかし多機能であるが故に、所定の操作を行うべきスイッチやメニュー表示が複雑になる場合がある。この場合に、ユーザは希望通りの操作を迅速に行うことができなくなる、という問題が生じる。
このような問題に対して、例えば特許文献１には、装置に着脱可能なメモリカードに装置の設定情報を記憶させ、操作部の操作に基づきメモリカードから設定情報を読み出して設定を行なう装置が開示されている。
【特許文献１】特開平１−５１７６８号公報
【発明の開示】
【発明が解決しようとする課題】
【０００４】
上記のように、多機能化された電子機器をユーザが操作する場合、所定の操作を行うべきスイッチやメニュー表示が複雑になっていて、ユーザが所望のスイッチやメニュー表示等を即座に見つけ出すことができず、却って電子機器の操作性が悪くなるという課題がある。また上記特許文献１の装置では、ユーザが特定の操作スイッチを探し出したり、スイッチの位置を覚えておく必要があり、直感的な操作を行うことは困難である。
【０００５】
本発明は、上述のごとき実情に鑑みてなされたもので、電子機器の操作を行う場合に、直感的でかつ迅速な操作を実行可能できるようにした電子機器の操作装置を提供することを目的とするものである。
【課題を解決するための手段】
【０００６】
上記課題を解決するために、本発明の第１の技術手段は、電子機器に所定の動作を実行させるための操作装置であって、外部記憶機器との接続が可能な接続部と、接続部により接続された外部記憶機器の筐体の位置変化を、外部記憶機器に対してなされた操作として検知する操作検知部と、操作検知部による検知結果に応じて、特定の動作を実行するためのコマンドを電子機器に与える制御部とを備え、制御部は、外部記憶機器に対する操作を検知したときにその操作に対応するコマンドを指定するよう定められた操作データに基づいて、操作検知部にて検知した操作に応じたコマンドを電子機器に与えることを特徴としたものである。
【０００７】
第２の技術手段は、第１の技術手段において、操作データが外部記憶機器に記憶され、制御部は、接続された外部記憶機器から操作データを読み出して、読み出した操作データに基づいて、操作検知部にて検知した操作に応じたコマンドを電子機器に与えることを特徴としたものである。
【０００８】
第３の技術手段は、第１または第２の技術手段において、外部記憶機器が接続されたか否かを検出する検出部を備え、制御部は、検出部により外部記憶機器の接続が検出された時に、操作データに基づいて操作検知部にて検知した操作に応じたコマンドを電子機器に与える動作を行うモードに切り換えることを特徴としたものである。
【０００９】
第４の技術手段は、第１または第２の技術手段において、操作検知部は、外部記憶機器の筐体の傾き方向を位置変化として検出することを特徴としたものである。
【００１０】
第５の技術手段は、第１または第２の技術手段において、操作検知部は、外部記憶機器の筐体の傾き角度を位置変化として検出することを特徴としたものである。
【００１１】
第６の技術手段は、第１または第２の技術手段において、操作検知部は、外部記憶機器の筐体の長手方向を回転軸とする回転角度を位置変化として検出することを特徴としたものである。
【００１２】
第７の技術手段は、第５の技術手段において、制御部は、外部記憶機器に対してなされた操作が所定時間継続されたかどうかを判別し、所定時間継続された場合と継続されたかった場合とで、電子機器に与えるコマンドを切り換えることを特徴としたものである。
【００１３】
第８の技術手段は、第１または第２の技術手段において、制御部は、操作データが外部記憶機器に記憶されている場合、外部記憶機器から読みだした操作データに基づいて操作検知部にて検知した操作に応じたコマンドを電子機器に与える動作を行い、操作データが外部記憶機器に記憶されていない場合、予め決められた操作データに基づいて操作検知部にて検知した操作に応じたコマンドを電子機器に与える動作を行うことを特徴としたものである。
【００１４】
第９の技術手段は、第１から第８のいずれかの技術手段である電子機器の操作装置と、電子機器の操作装置に接続可能な外部記憶機器とからなる電子機器の操作システムであって、外部記憶機器は、外部記憶機器に記憶しているデータの一覧を表示可能な表示部を有し、操作データには、外部記憶機器に保持されているデータ一覧を表示させるコマンドと、表示部に表示させたデータの一覧から、電子機器で所定の動作を行うためのデータを選択するコマンドとが外部記憶機器に対する操作に応じて設定されていることを特徴としたものである。
【００１５】
第１０の技術手段は、第１から第８のいずれかの技術手段である電子機器の操作装置を備えた画像処理装置である。
【００１６】
第１１の技術手段は、第９の技術手段である電子機器の操作システムを備えた画像処理装置である。
【発明の効果】
【００１７】
本発明によれば、直感的でかつ迅速な操作を実行可能できるようにした電子機器の操作装置を提供することができる。
特に本発明によれば、ユーザが外部記憶機器を電子機器の操作装置に接続し、その外部記憶機器そのものを操作のためのレバーとして用いることができるので、操作のためのスイッチを探したり、メニュー表示を探すといった手間を省くことができ、電子機器の操作性を向上させることができる。
【００１８】
更に本発明によれば、外部記憶機器に記憶された操作データに基づいて操作を実行することにより、ユーザごとに利用頻度の高い操作が異なっていたとしても、ユーザごとに異なる操作を即座に実行することができ、操作性を向上させることができる。例えばあるユーザは、ＳＣＡＮ ＴＯ Ｅｍａｉｌの利用頻度が高く、あるユーザはＵＳＢ ＴＯ ＰＲＩＮＴの利用頻度が高いような場合に、異なる操作データを記憶させた外部記憶機器をユーザごとに所有し、操作に利用することで、ユーザごとに異なる操作を容易に実行させることが可能となる。
【００１９】
更に本発明によれば、外部記憶機器から操作データを読み出す動作を行うことなく、操作装置もしくは操作装置が組み込まれた電子機器にて予め操作データを記憶保持しておき、外部記憶機器が接続されて操作が行われたときに、予め保持している操作データに基づいて特定のコマンドを電子機器に与えることにより、外部記憶機器の特定の操作に対して自動的に実行するデータ処理を予め定めておくことができ、外部記憶機器を操作するだけで特定の電子機器の操作を実行させることができるようになる。
【００２０】
更に本発明によれば、外部記憶機器に対してなされた操作が所定時間継続されたかどうかを判別し、所定時間継続された場合と継続されなかった場合とで、電子機器に与えるコマンドを切り換えることにより、一つの操作に対して二つ以上のコマンドを設定することができる。
【００２１】
更に本発明によれば、操作データが外部記憶機器に記憶されていない場合、予め決められた操作データに基づいて電子機器に所定の動作を実行させることにより、外部記憶機器から操作データを読み出すことができる場合と、読み出すことができない場合とで切替を容易に行うことができ、操作性を向上させることができる。
【００２２】
更に本発明によれば、記憶データの一覧を表示可能な表示部を外部記憶機器に備え、外部記憶機器に保持されているデータ一覧を表示させる操作と、表示したデータ一覧からデータを選択する操作とを可能とすることにより、ユーザは、外部記憶機器の表示を見ながら操作を行うだけで、外部記憶機器の記憶データのデータ処理や外部記憶機器へのデータ書き込みなどの処理を適宜実行させることができ、操作性を向上させることができる。
【発明を実施するための最良の形態】
【００２３】
図１は、本発明による電子機器の操作装置を適用可能な画像形成装置の概略の構成を示す図である。
画像処理装置１０は、上部に画像読取部１００、中央部に画像形成部２００、下部に用紙給紙部２２０を配置して構成されている。画像処理装置１０の上面に配置された透明ガラス体の原稿台１０１上には、原稿セットトレイ上にセットされた複数枚の原稿を１枚ずつ自動的に原稿台１０１上へ給送する自動原稿搬送装置１０２が備えられている。また、画像形成部２００の一方の側面には後処理装置２３０が装着され、用紙給紙部２２０の下方には載置台を兼ねた多段給紙ユニット２４０が配置されている。
【００２４】
原稿台１０１の下方に位置する画像読取部１００は、第１の走査ユニット１０３、第２の走査ユニット１０４、光学レンズ１０５、及び光電変換素子であるＣＣＤラインセンサ１０６を有し、自動原稿搬送装置１０２との関連した動作により、原稿台１０１上に載置された原稿の画像を所定の露光位置において相対的に走査して読み取る。
第１の走査ユニット１０３は、原稿面上を露光する光源ランプユニット１１１、及び原稿からの反射光像を所定の方向に反射させる第１ミラー１１３を搭載している。光源ランプユニット１１１の照射光量は、光量センサによって検出される。また第２の走査ユニット１０４は、第１ミラー１１３で反射された原稿からの反射光を光電変換素子であるＣＣＤラインセンサ１０６に導く第２ミラー１２１及び第３ミラー１２２を搭載している。光学レンズ１０５は、原稿からの反射光をＣＣＤラインセンサ１０６の受光面に結像させる。
【００２５】
画像形成部２００には、感光体ドラム２０４を所定の電位に帯電させる帯電ユニット２０５、画像読取部１００または外部装置から転送された画像データに応じてレーザ光を出射して、感光体ドラム２０４上に静電潜像を形成するレーザスキャンユニット（ＬＳＵ）２０９、感光体ドラム２０４上に形成された静電潜像に現像ローラ２１９を介してトナーを供給してトナー像に顕像化する現像ユニット２０６、感光体ドラム２０４上に形成されたトナー像を用紙に転写する転写器２０７、転写工程後の感光体ドラム２０４上に残留したトナー等を回収するクリーナ２０８、及び転写工程後の感光体ドラム２０４から用紙を剥離する剥離器２１０が設けられている。
【００２６】
レーザスキャンユニット２０９は、内部に画像データによって変調されたレーザ光を照射する半導体レーザ２１５、及び回転によってレーザ光を主走査方向に偏光するポリゴンミラー２１６、及び図示しないレンズ群を備えている。ポリゴンミラー２１６は、モータ２１７によって駆動される。モータ２１７の回転速度は、速度センサ２１８によって検出される。
【００２７】
画像形成部２００には、トナー像が転写された用紙を加熱及び加圧して用紙上にトナー像を定着させる定着ユニット２０１が設けられている。定着ユニット２０１は、上側の加熱ローラ２１１と下側の加圧ローラ２１３との一対のローラを備えている。加熱ローラ２１１はヒータを備え、加熱ローラ２１１の温度は、温度センサ２１４によって検出される。さらに、定着ユニット２０１の排出側には、用紙の両面に画像を形成する両面画像形成モード時に用紙の前後を反転させるスイッチバック路２０３が形成されている。
【００２８】
定着ユニット２０１においてトナー像が定着された用紙は、必要に応じてスイッチバック路２０３を経て排紙ローラ２０２にて後処理装置２３０へと導かれ、ここでステープル処理や穿孔処理等の後処理が施された後、トレイ２３１上に排出される。
用紙給紙部２２０は、本体側面に装着された手差トレイ２２４、両面ユニット２２５、給紙トレイ２２１と多段給紙ユニット２４０に備えられた給紙トレイ２２２，２２３で構成されている。これらの給紙トレイ２２１〜２２３と手差しトレイ２２４は、複数枚の用紙を積層して収納する。また用紙給紙部２２０は、給紙トレイ２２１〜２２３及び手差しトレイ２２４から給紙した用紙を、画像形成部２００の感光体ドラム２０４と転写器２０７との間の転写位置へ搬送するローラ等の搬送手段を備えている。
両面ユニット２２５は、用紙を反転させるスイッチバック路２０３に通じており、両面画像形成モード時に表裏面が反転された用紙を一時貯留する。なお、両面ユニット２２５は通常の給紙トレイと交換可能とされる。
【００２９】
図２は、図１に示す画像処理装置の電気的構成を示すブロック図である。
画像処理装置１０は、制御手段としてＲＯＭ１３及びＲＡＭ１４を備えたメインＣＰＵ１１を備える。メインＣＰＵ１１には、画像処理回路１２、ＨＤＤ１５、画像メモリ１６、操作手段（操作パネル）１７、検出部２０、通信部２１、ＮＩＣ２３、サブＣＰＵ−Ａ３３、及びサブＣＰＵ−Ｂ４４が接続されている。
【００３０】
メインＣＰＵ１１は、ＲＯＭ１３に予め書き込まれたプログラムに従って各入出力機器を統括して制御し、この間に入出力されるデータをＲＡＭ１４の所定のメモリエリアに一時記憶する。画像メモリ１６は、画像処理回路１２から出力された画像データを記憶する。操作手段（操作パネル）１７は、入力キー及び液晶表示パネルを備え、装置の状態や利用可能な用紙サイズ、複写倍率等の表示を行うと共に、入力キーにより操作者の操作を受け付けることができる。液晶表示パネルは、液晶画面に触れることで入力が可能な液晶タッチパネルとしてもよい。
【００３１】
外部記憶機器５０の処理モードとしては、画像読取部１００で読み取った画像データを外部記憶機器５０に記憶する原稿読取モード（ＳＣＡＮ ＴＯ ＵＳＢ）、外部記憶機器５０に記憶された画像データを画像形成部２００により画像形成する画像形成モード（ＵＳＢ ＴＯ ＰＲＩＮＴ）、画像処理装置１０内のＨＤＤ１５に記憶されているデータを外部記憶機器５０に記憶させるモード（ＦＩＬＥ ＴＯ ＵＳＢ）、及び外部記憶機器３０に記憶されているデータを画像処理装置１０内のＨＤＤ１５に記憶させるモード（ＵＳＢ ＴＯ ＦＩＬＥ）が挙げられる。ここでは外部記憶機器５０としてＵＳＢ（Universal Serial Bus）メモリが用いられる。
【００３２】
通信部２１は、外部記憶機器（ＵＳＢ接続可能な機器）５０とメインＣＰＵ１１とのデータ通信を行うインターフェイスである。接続部１８は、外部記憶機器５０と接続されるＵＳＢ規格のコネクタである。また検出部２０は、外部記憶機器５０とのデータ通信の可否を検出する回路であり、その詳細内容については後述する。
【００３３】
接続部１８には、ＵＳＢ規格に準じた外部記憶機器５０を接続することができる。外部記憶機器５０は、画像処理装置１０に接続され画像処理装置１０から電力が供給されると、機器の種類を示す機器識別データを接続先である画像処理装置１０に送信する。画像処理装置１０では、外部記憶機器５０から送信された機器識別データに基づいて、外部記憶機器５０の種類に応じた制御を実施することができる。
【００３４】
ＮＩＣ（Network Interface Card）２３は、クライアントＰＣ６０とネットワーク通信を行うための通信手段である。画像処理装置１０は、クライアントＰＣ６０から転送されるプリントデータに基づいて印刷を行うか、もしくは画像読取により得た画像データをＮＩＣ２３を介してクライアントＰＣ６０に転送する。
操作制御部２２は、外部記憶機器を５０用いた操作を制御する回路であり、その詳細は後述する。
【００３５】
画像形成部２００は、サブＣＰＵ−Ａ３３により制御され、ヒータ２１２、温度センサ２１４、ドライバ３１、Ａ／Ｄ変換器３２を含む。温度センサ２１４は、定着ユニット２０１において加熱ローラ２１１の温度を検出して温度データをサブＣＰＵ−Ａ３３に出力する。
メインＣＰＵ１１は、第１の復帰処理として、サブＣＰＵ−Ａ３３に所定のウオームアップコマンドを送信する。サブＣＰＵ−Ａ３３は、メインＣＰＵ１１より所定のウオームアップコマンドを受けるとヒータ２１２を通電し、温度センサ２１４から得られる温度情報を基に、ヒータ２１２により加熱される加熱ローラ２１１の表面温度を所定の温度に一定化するようヒータ２１２の通電を制御する。サブＣＰＵ−Ａ３３は加熱ローラ２１１の表面が所定温度に到達したならば、処理可能状態（レディ状態）に達したと判断して、メインＣＰＵ１１に通知する。
【００３６】
画像読取部１００は、サブＣＰＵ−Ｂ４４により制御され、光源ランプ１１２、光量センサ４１、ドライバ４２、Ａ／Ｄ変換器４３を含む。光量センサ４１は、光源ランプユニット１１１の光源ランプ１１２が照射した光の光量を検出して光量データをサブＣＰＵ−Ｂ４４に入力する。メインＣＰＵ１１は、第２の復帰処理として、サブＣＰＵ−Ｂ４４に所定のウオームアップコマンドを送信する。サブＣＰＵ−Ｂ４４は、メインＣＰＵ１１より所定のウオームアップコマンドを受けると、光源ランプ１１２に通電し、光量センサ４１から得られる光量情報を基に、光源ランプ１１２の光量が所定の光量に一定化するよう光源ランプ１１２の通電を制御する。サブＣＰＵ−Ｂ４４は、光源ランプ１１２の光量が所定の光量に到達したら、処理可能状態（レディ状態）に達したと判断して、メインＣＰＵ１１に通知する。
【００３７】
ドライバ４２は、サブＣＰＵ−Ｂ４４から出力された制御データに基づいて光源ランプユニット１１１の光源ランプ１１２を駆動する。ドライバ４２は、サブＣＰＵ−Ａ３３から出力された制御データに基づいて定着ユニット２０１の加熱ローラ２１１に内蔵されたヒータ２１２を駆動する。
サブＣＰＵ−Ａ３３、サブＣＰＵ−Ｂ４４には、上記以外にも画像形成部及び原稿読取部内のモータ、クラッチ、ソレノイド及びセンサ等の原稿読取処理時及び画像形成処理時に動作する多数の入出力機器が接続されている。サブＣＰＵ−Ａ３３、サブＣＰＵ−Ｂ４４には、原稿読取処理時及び画像形成処理時に所定のタイミングでセンサの検出データを読み取り、検出データに応じてモータ等を駆動する。
【００３８】
上記の構成において、電子機器の操作装置は、上記画像処理装置に組み込まれている。ここでは画像処理装置が、上記操作装置により操作される電子機器に該当する。つまり本実施形態の電子機器の操作装置は、操作データを記憶する外部記憶機器５０との接続が可能な接続部１８と、接続部１８により接続された外部記憶機器５０の筐体の位置変化を、外部記憶機器５０に対してなされた操作として検知する操作検知部１９と、操作検知部１９による検知結果に応じて、所定の動作を実行するためのコマンドを電子機器に与える制御部とを備えている。この制御部は、操作制御部２２が該当する。
【００３９】
図３は、外部記憶機器とのデータ通信の可否を検出する上記図２に示す検出部についてさらに説明するための図である。
Ｖｂｕｓは、外部記憶機器５０へ電力を供給するライン（＋５Ｖ）である。また画像処理装置１０が備える電源は、Ｖｂｕｓを介して外部記憶機器５０に電力を供給する。そして外部記憶機器５０側には、データ入出力端子Ｄ＋をＶｂｕｓの電位へプルアップするプルアップ抵抗５１が接続されている。プルアップ抵抗５１は、データ入出力端子Ｄ−に接続されていてもよい。
【００４０】
画像処理装置１０の接続部１８に外部記憶機器５０のコネクタ５２が接続されると、データ入出力端子Ｄ＋もしくはＤ−のいずれかがＶｂｕｓとほぼ同電位となる。そして検出部２０は、データ入出力端子Ｄ＋及びＤ−の電圧を検出して、Ｖｂｕｓとほぼ同電位となった場合、外部記憶機器５０と画像処理装置１０間のデータ通信が可能な状態となったことを操作制御部２２に通知する。
【００４１】
（コピーモードの場合）
上記構成の画像処理装置１０におけるコピーモードの処理について以下に説明する。なおコピーモードは、原稿の画像を読み取る画像読取処理、及び読み取った画像を用紙上に複写する画像形成処理を含む。
コピーモード時には、画像読取部１００の原稿台１０１上に複写対象の原稿が載置された後、ユーザが操作パネル上の条件入力キー（複写枚数や複写倍率等）を入力した後にスタートキーを押下すると、画像読取処理及び画像形成処理を含むコピー動作が開始される。
【００４２】
ここで画像処理装置１０では、スタートキーが押されると、略同時に図示しないメイン駆動モータが始動し、各駆動ギヤが回転する。その後、給紙ローラ２２６が回転して用紙が給紙される。給紙された用紙は、搬送経路内をレジストローラ２２７まで搬送される。ここで用紙は、感光体ドラム２０４上の画像先端部と同期をとるために一時停止し、用紙の先端部は均一にレジストローラ２２７に押しつけられてその先端位置の補正が行なわれる。
【００４３】
画像読取部１００において、原稿読取中の画像情報は、光源ランプユニット１１１の光源ランプ１１２が点灯し、走査ユニット１０３が移動することで露光走査が開始される。また光源ランプユニット１１１から照射された光の原稿画像面における反射光は、ミラー１１２，１２１〜１２２及び光学レンズ１０５を経由してＣＣＤラインセンサ１０６で受光され、画像情報として読み取られる。読み取られた画像情報は、画像処理回路１２においてデジタルデータである画像データに変換される。変換された画像データは、設定された条件で画像処理が施されて画像メモリ１６に一旦記憶された後、ＬＳＵ２０９に画像データとして供給される。
【００４４】
所定速度で回転する感光体ドラム２０４の表面は、帯電ユニット２０５からの電荷の付与を受け、所定の帯電電位に均一に帯電される。ＬＳＵ２０９は、メインＣＰＵ１１から供給された画像データに基づいて半導体レーザ２１５を駆動し、画像データによって変調されたレーザ光を、所定速度で回転するポリゴンミラー２１６を介して感光体ドラム２０４の表面に照射する。ＬＳＵ２０９によるレーザ光の照射により、感光体ドラム２０４の表面には画像データに基づく静電潜像が形成される。静電潜像が形成された感光体ドラム２０４の表面には、現像ユニット２０６からトナーが供給され、静電潜像がトナー像に顕像化される。
【００４５】
用紙は、感光体ドラム２０４の回転に同期して回転を開始するレジストローラ２２７により、感光体ドラム２０４と転写器２０７との間に搬送され、転写器２０７によって感光体ドラム２０４の表面に担持されているトナー像の転写を受ける。感光体ドラム２０４の表面に残留したトナーは、紙粉等とともにクリーナ２０８によって除去及び回収される。
トナー像の転写を受けた用紙は、定着ユニット２０１に搬送され、加熱ローラ２１１と加圧ローラ２１３との間を通過する間に加熱及び加圧を受ける。用紙上に転写したトナー像は、一対のローラ２１１，２１３による加熱及び加圧によって溶融して用紙表面に堅牢に定着する。トナー像が定着した用紙は、排紙ローラ２０２を介して後処理装置２３０に排出される。
【００４６】
（プリントモードの場合）
画像処理装置１０は、ＮＩＣ２３を介して入力されるクライアントＰＣ６０からの印刷データや、通信部２１を介して接続された外部記憶機器５０に記憶されている画像データを画像形成部２００が備えるＬＳＵ２０９に転送し、印刷を実行する。
【００４７】
（スキャンモードの場合）
画像処理装置１０は、画像読取部１００で読み取って画像メモリ１６に記憶した原稿画像データを、ＮＩＣ２３を介してクライアントＰＣ６０に転送したり、通信部２１を介して接続される外部記憶機器３０に転送する。
【００４８】
（ファイリングモードの場合）
画像処理装置１０は、画像読取部１００で取得した画像データや通信部２１を介して接続される外部記憶機器５０から転送された画像データをＨＤＤ１５に記憶させる。記憶した画像データは、画像形成部２００により印刷したり、ＮＩＣ２３を介してクライアントＰＣ６０に転送することができる。
【００４９】
以上のように、画像読取部１００と画像形成部２００とを備えた画像処理装置１０の構成を示したが、本発明の実施においては、原稿読取部を備え画像形成部を備えていない装置（原稿読取装置）であってもよいし、逆に画像形成部を備え原稿読取部を備えていない装置（画像形成装置）であってもよい。電気的構成としては、原稿読取装置は図２に示すブロック図から画像形成部２００を除いた構成となり、画像形成装置は図２に示すブロック図から画像読取部１００を除いた構成となる。
【００５０】
図４は、外部記憶機器の構成例を示すブロック図である。外部記憶機器の例としてＵＳＢメモリが挙げられる。
外部記憶機器５０は、画像処理装置１０の接続部１８に接続されるコネクタ５２と、画像処理装置１０との通信制御を行うＩ／Ｆ部５３と、画像データなどが記憶されるフラッシュメモリ５６と、ＲＯＭ５５に記憶されている制御プログラムに基づいて、フラッシュメモリ５６からＩ／Ｆ部５３へのデータ読出及びＩ／Ｆ部５３からフラッシュメモリ５６へのデータ書込の制御を行うＣＰＵなどのデータ転送制御部５４とを備える。また、データ転送制御部５４は、画像処理装置１０のメインＣＰＵ１１との間で認証処理を行い、認証が成功した場合に通信部を介して画像処理装置１０とのデータ転送を許可する。
【００５１】
以下に本発明の電子機器の操作装置の実施形態を説明する。
本発明に係る一実施形態では、電子機器の操作装置は、ＵＳＢメモリなどの外部記憶機器が接続可能に構成され、その外部記憶機器の筐体に対してユーザによる操作が行われたときに、その筐体の位置変化を読み取って、外部記憶機器に対して行われた操作を検知する。
【００５２】
一方、外部記憶機器には、外部記憶機器に対して電子機器を操作するための操作データを記憶させておく。操作データは、電子機器に所定の動作を実行させるためのコマンドを生成可能なデータであり、上記の外部記憶機器に対して行われる操作と、電子機器に動作を実行させるコマンドとが関連付けられているものである。
そして電子機器の操作装置では、外部記憶機器が接続されたときに、その外部記憶機器に対して行われたユーザによる操作を検知し、その検知した操作と、外部記憶機器から読み取った操作データとに基づいて、所定の動作を実行するためのコマンドを電子機器に与える制御を行う。つまりここでは、外部記憶機器に対して行われた操作を検知したときに、外部記憶機器から読み出した操作データにその操作に対応するコマンドが指定されているため、電子機器の操作装置では、行われた操作に対応したコマンドを電子機器に与えることができる。
【００５３】
図５及び図６は、本発明による電子機器の操作装置における外部記憶機器の接続部の構成例を示す図である。本例では、外部記憶機器５０としてＵＳＢメモリを用いている。
外部記憶機器５０は、画像処理装置１０の接続部１８に対して接続可能に構成され、着脱可能となっている。図５は接続部１８に対して外部記憶機器５０を接続したときの状態を示し、図６は接続部１８から外部記憶機器５０を外したときの状態を示している。
【００５４】
接続部１８は、外部記憶機器５０を接続可能なコネクタとして構成され、接続部基体２４と一体化されている。そして接続部基体２４は、弾性部材(ここではスプリング)２５により支持され、外部記憶機器５０に対する操作によりその角度変化が可能となっている。そして接続部基体２４の下側には、接続部基体２４の角度変化により押圧可能となっているプッシュボタン式のスイッチ１９１が設けられている。スイッチ１９１は、図２の操作検知部１９に該当するものである。
【００５５】
図７は、外部記憶機器に対する操作により外部記憶機器を傾けた状態を示す図で、外部記憶機器を傾けた状態をそれぞれ図７（Ａ）、及び図７（Ｂ）に示すものである。
上述のように、外部記憶機器５０に接続する接続部１８に一体化された接続部基体２４は、角度変化可能であるため、ユーザが外部記憶機器５０の筐体を傾ける操作を行うことにより接続部基体２４が傾き、操作検知部であるスイッチ１９１のいずれかを押すことができる。このとき操作制御部２２では、スイッチ１９１が押されたことを検知することができ、各スイッチ１９１のオン／オフ状態を判別することができる。
【００５６】
図８は、本発明による電子機器の操作装置における外部記憶機器の接続部の更に具体的な構成例を示す図で、図８（Ａ）は外部記憶機器の接続部の分解斜視概略図、図８（Ｂ）はその接続部の組み立て斜視概略図である。図８において、２４ａはキャップ、２５はスプリング、２６はＵＳＢ端子傾き検出用基板、２６ａはＵＳＢ端子傾き検出用基板に設けられた孔部、２７はＵＳＢケーブル、２７ａはＵＳＢケーブルのコネクタ、２８はプッシュボタンデータ送信線、２９はコントローラである。
【００５７】
ここでは図８（Ａ）に示すように、プッシュボタンによる４つのスイッチ１９１は、ＵＳＢ端子傾き検出用基板２６の孔部２６ａの周囲に配設され、その孔部２６ａに背面側（下側）からＵＳＢ端子ケーブル２７のコネクタ２７ａが差し込まれる。そしてＵＳＢ端子傾き検出用基板２６の反対側（図８の上側）では、孔部２６ａの周囲に位置するようにスプリング２５が設置され、その上からキャップ２４ａが取り付けられる。
キャップ２４ａには、ＵＳＢ端子ケーブル２７のコネクタ２７ａが挿入され、キャップ２４ａの上方から外部記憶機器（ＵＳＢメモリ）５０の接続が可能となっている。つまりコネクタ２７ａにより接続部１８が構成されている。またキャップ２４ａは、図７の接続部基体２４に該当する。そしてキャップ２４ａは、図示しない装置の外装で押さえつけることにより固定される。
【００５８】
図９は、図８の構成において外部記憶機器が傾けられたときの状態を説明するための図である。４つのスイッチ１９１は前後左右に対向するように設けられている。そして図８に示すように、ユーザが外部記憶機器５０を傾けたときに、キャップ２４ａによりスイッチ１９１のいずれか押されると、そのプッシュボタンデータが図８に示すプッシュボタンデータ送信線２８によりコントローラ２９に送られる。また外部記憶機器５０のメモリ領域からのデータの読み出しやメモリ領域に対するデータの書込は、図８に示すＵＳＢケーブル２７を介して行われる。またコントローラ２９には、図２に示す操作制御部２２や検出部２０、通信部２１の機能を実現する回路部が形成されている。
【００５９】
なお上記の例では４つのスイッチ１９１を設けた構成例を説明したが、スイッチ１９１（すなわち操作検知部１９）の数と位置は、適宜任意に設定することができる。例えばスイッチ１９１の数は２つであってもよく、あるいは６つや８つなどの多数のスイッチで構成してもよい。そしてスイッチのそれぞれに対して、電子機器に与えるためのコマンドを設定できるため、スイッチの数が増えれば設定できるコマンドの数も増えることになる。
【００６０】
図１０は、外部記憶機器５０に記憶させておく操作データの例を示す図で、操作データの異なる設定例を図１０（Ａ）及び図１０（Ｂ）にそれぞれ示すものである。
ここでは２つのスイッチ１９１を備えた構成において、各スイッチ（ＳＷ１，ＳＷ２）に対して電子機器に与えるためのコマンドが設定されている。例えば図１０（Ａ）の例では、ＳＷ１が押されたときのコマンドとして“ＳＣＡＮ ＴＯ Ｅｍａｉｌ”が設定され、ＳＷ２が押されたときのコマンドとして“ＳＣＡＮ ＴＯ ＵＳＢ”が設定されている。また図１０（Ｂ）の例では、ＳＷ１が押されたときのコマンドとして“画像選択”が設定され、ＳＷ２が押されたときのコマンドとして“ＵＳＢ ＴＯ ＰＲＩＮＴ”が設定されている。
【００６１】
図１０（Ａ）の“ＳＣＡＮ ＴＯ Ｅｍａｉｌ”は、画像処理装置の原稿読取部で読み取った画像データをＥメールにて送信するモードであり、“ＳＣＡＮ ＴＯ ＵＳＢ”は、画像処理装置の原稿読取部で読み取った画像データを外部記憶機器５０に記憶するモードである。
ここではユーザは、操作装置の接続部１８に外部記憶機器５０を接続し、外部記憶機器５０を傾ける操作を行ってＳＷ１を押すことにより、画像処理装置ではＳＣＡＮ ＴＯ Ｅｍａｉｌの処理を実行させることができる。また同様にＳＷ２を押すことにより、ＳＣＡＮ ＴＯ ＵＳＢの処理を実行させることができる。
【００６２】
また図１０（Ｂ）の“画像選択”は、外部記憶機器５０に記憶されている複数の画像データの中から使用する画像データを選択するモードで、“ＵＳＢ ＴＯ ＰＲＩＮＴ”は、外部記憶機器５０に記憶された画像データを画像処理装置の画像形成部により画像形成するモードである。ここでは例えば、外部記憶機器５０が記憶する画像データのリストを画像処理装置の操作パネルに表示させ、ユーザがＳＷ１を押すことによって所望の画像データを選択し、続けてＳＷ２を押すことによって選択した画像データを用紙等に印刷させることができる。
【００６３】
操作データに設定するコマンドは、勿論上記の例に限るものではなく電子器機器の機能に応じて適宜設定することができる。またコマンドを個々のスイッチに対応付けて設定するだけでなく、例えば、特定の複数のスイッチが特定の順序で押されたときに、特定のコマンドを電子機器に与えるような設定も可能である。
上記のように、外部記憶機器５０に予め記憶させておく操作データに、スイッチなどの操作検知部１９による検知結果と、電子機器（上記の例では画像処理装置）に与えるコマンドを関連付けて設定しておくことにより、操作検知部１９の検知結果に応じたコマンドを電子機器に与えることができるようになる。
【００６４】
図１１は、本発明による電子機器の操作装置を備えた画像処理装置の処理例を説明するためのフローチャートである。ここでは、ここでは２つのスイッチ（ＳＷ１，ＳＷ２）を備えた構成で、各スイッチに応じて画像処理装置にコマンドを与える例を説明する。
まず操作装置の検出部２０で、外部記憶機器５０が接続されたことを検出すると（ステップＳ１）、操作装置の操作制御部２２は、外部記憶機器５０に記憶されている操作データを読み出す制御を行う（ステップＳ２）。この例では、操作データは、特定のファイル名を用いて外部記憶機器５０に記憶されている。
【００６５】
そして操作装置の操作制御部２２では、外部記憶機器５０が接続されている状態でＳＷ１が押されたことを検出すると（ステップＳ３−ＹＥＳ）、外部記憶機器５０から読み出した操作データを参照して、ＳＷ１に対応するコマンドを画像処理装置のメインＣＰＵ１１に送信する。コマンドを受信したメインＣＰＵ１１は、コマンドで指定された動作を実行する（ステップＳ４）。そして操作制御部２２では、外部記憶機器５０が取り外されたかどうかを判別して（ステップＳ５）、取り外されていなければステップＳ３に戻る。また外部記憶機器５０が取り外されたならば処理を終了する。
【００６６】
同様にステップＳ３でＳＷ１が押されてなく（ステップＳ３−ＮＯ）、ＳＷ２が押された場合（ステップＳ６−ＹＥＳ）、操作制御部２２は、外部記憶機器５０から読み出した操作データを参照して、ＳＷ２に対応するコマンドを画像処理装置のメインＣＰＵ１１に送信する。コマンドを受信したメインＣＰＵ１１は、コマンドで指定された動作を実行する（ステップＳ７）。そして操作制御部２２では、外部記憶機器５０が取り外されたかどうかを判別して（ステップＳ５）、取り外されていなければステップＳ３に戻る。またステップＳ６でいずれのスイッチも押されていない場合にも、ステップＳ５で外部記憶機器５０が取り外されたかどうかを判別する。外部記憶機器５０が取り外されたならば処理を終了する。
【００６７】
図１２は、本発明による電子機器の操作装置を備えた画像処理装置の他の処理例を説明するためのフローチャートで、上記図１１に示すステップＳ４の他の処理例を示すものである。
上記図１１の例では、操作装置ではスイッチが押されたことを検知して、その検知したスイッチに応じたコマンドにより画像処理装置に特定の動作を実行させるようにしている。これに対して本例では、操作装置でスイッチが押されたかどうかを検知する場合に、特定のスイッチが押された状態が所定時間継続したときと、所定時間継続しなかったときとで画像処理装置に与えるコマンドを切り換えるようにする。
【００６８】
すなわち操作装置の操作制御部２２は、図１１のステップＳ１で外部記憶機器５０の接続が検出され、ステップＳ２で外部記憶機器５０から操作データを読み出し、さらにステップＳ３でＳＷ１が押されたことを検出すると、図１２のステップＳ１１で変数Ｔに１を代入する処理を行う。Ｔは所定の時間を表す変数であり、例えば１ｍｓｅｃなどの値である。そしてステップＳ１１から時間Ｔが経過するまでの間、または後述するステップＳ１３でＴがＴ＋１に置き変えられてからさらに時間Ｔが経過するまでの間、ＳＷ１が押された状態が継続しているかどうかを判別する（ステップＳ１２）。
【００６９】
ここでＳＷ１が押された状態が継続していれば、ＴをＴ＋１に置き換える（ステップＳ１３）。そしてここでＴが所定数（例えば１０００）を越えたかどうか、つまりＴ＞１０００であるかどうかを判別する（ステップＳ１４）。Ｔ＞１０００でなければ、ステップＳ１２に戻り、さらに時間Ｔの間、ＳＷ１が押された状態が継続しているかどうかを判別する。
一方Ｔ＞１０００であれば、所定時間ＳＷ１が押された状態が継続したため、操作制御部２２は、外部記憶機器５０から読み出した操作データを参照して、ＳＷ１に設定された第１のコマンドを画像処理装置のメインＣＰＵ１１に送信する。コマンドを受信したメインＣＰＵ１１は、ＳＷ１の第１のコマンドで指定された動作を実行する（ステップＳ１５）。例えば第１のコマンドにより、ＳＣＡＮ ＴＯ Ｅｍａｉｌを実行する。
【００７０】
またステップＳ１２でＳＷ１が押された状態が継続していなければ、操作制御部２２は、外部記憶機器５０から読み出した操作データを参照して、ＳＷ１に設定された第２のコマンドを画像処理装置のメインＣＰＵ１１に送信する。コマンドを受信したメインＣＰＵ１１は、ＳＷ１の第２のコマンドで指定された動作を実行する（ステップＳ１６）。例えば第２のコマンドにより、ＳＣＡＮ  ＴＯ ＵＳＢを実行する。上記の処理は、図１１のステップＳ７おけるＳＷ２の処理においても同様に設定することができる。
【００７１】
この例の場合、外部記憶機器５０に記憶させておく操作データには、１つのスイッチに対して２つのコマンド、つまりそのスイッチが所定時間以上継続して押されたときの第１のコマンドと、所定時間以上継続せずに押されたときの第２のコマンドとを設定しておく。
そしてこの操作データを外部記憶機器５０から読み出した操作制御部２２では、スイッチが押されたときの継続時間を検出して、そのスイッチが押された継続時間に応じて、スイッチの第１のコマンドかもしくは第２のコマンドを画像処理装置のメインＣＰＵ１１に送る。 
【００７２】
上記のようにして、スイッチが押された時間に応じてコマンドを切り換えることにより、一つのスイッチに対して二つのコマンドを設定することができる。またこの場合に、継続時間を多段階に設定することにより、一つのスイッチに対して３つ以上のコマンドを設定することも可能となる。
【００７３】
図１３及び図１４は、本発明による電子機器の操作装置における外部記憶機器の接続部の他の構成例を示す図である。図１３は、接続部１８に対して外部記憶機器５０を接続したときの状態を示し、図１４は、ユーザ操作によって外部記憶機器５０を傾けたときの状態を示すものである。各図において、１９２はロータリーエンコーダ、１９２ａはロータリーエンコーダに設けられたスリット、１９３はロータリーエンコーダの回転軸、１９４は回転軸支持部、１９５は第１ホトインタラプタ、１９６は第２ホトインタラプタ、１９７はスプリングである。  
【００７４】
上記の例と同様に外部記憶機器５０は、画像処理装置１０の接続部１８に対して接続可能に構成され、着脱可能となっている。そして本例の構成では、外部記憶機器５０の筐体の位置変化を検出する操作検知部１９に相当する手段として、ロータリーエンコーダ１９２を備えている。
【００７５】
接続部１８は、外部記憶機器５０を接続可能なコネクタとして構成され、外部記憶機器５０の筐体に対する操作によって傾けることができるようになっている。外部記憶機器５０は、スプリング１９７の作用によって通常図１３の位置に自立するようになっている。
そして接続部１８は、回転軸支持部１９４に支持された回転軸１９３により回転するロータリーエンコーダ１９２に連結されている。つまり外部記憶機器５０が傾けられたときに、それに連動してロータリーエンコーダ１９２が回転するようになっている。
【００７６】
ロータリーエンコーダ１９２には、複数のスリット１９２ａが設けられている。そして二つのホトインタラプタ１９５，１９６から出力される光のオン／オフ信号は、スリット１９２ａを光が通過したときと通過しないときとで異なる波形となる。
例えば図１３の状態の外部記憶機器５０を、図１４のように第１ホトインタラプタ１９５の方向に傾けていったとき、図１５に示すようなパルス波形が各ホトインタラプタ１９５，１９６から出力される。
【００７７】
操作制御部２２では、各ホトインタラプタ１９５，１９６から出力された信号により、外部記憶機器５０の傾きの方向とその傾き量（角度）とを判別することができる。例えば図１５の例では、ロータリーエンコーダ１９２に設けられた６つのスリット１９２ａが、第１ホトインタラプタ１９５の検知位置を通過したことがわかる。また第２ホトインタラプタ１９６の方向に外部記憶機器５０が傾けられた場合には、第２ホトインタラプタ１９６からの出力信号にパルス波形が現れる。操作制御部２２では、パルス数に基づいて外部記憶機器５０の傾き量を判別することができる。
【００７８】
上記のような構成により、操作制御部２２では、外部記憶機器５０の筐体の位置変化を外部記憶機器５０になされた操作として検知することができる。
そして外部記憶機器５０に記憶された操作データを読み出して、その操作データと外部記憶機器５０になされた操作とに基づいて、所定の動作を実行するためのコマンドを画像処理装置のメインＣＰＵ１１に与える処理を行う。例えば、検出したパルス数（つまり外部記憶機器５０の傾き角度）に応じて、メニュー選択の際の選択カーソルの移動速度を増減させるような設定が可能である。
【００７９】
図１６は、本発明による電子機器の操作装置における外部記憶機器の接続部の更に他の構成例を示す図で、図１６（Ａ）は、接続部１８に対して外部記憶機器５０を接続したときの状態を側面から見た図で、図１６（Ｂ）は、図１６（Ａ）のロータリーエンコーダを上方から見た図である。図１６において、図１３と同様の機能を持つ部分には、図１３と同じ符号が付してある。
【００８０】
上記の例と同様に外部記憶機器５０は、画像処理装置１０の接続部１８に対して接続可能に構成され、着脱可能となっている。そして本例においても、外部記憶機器５０の筐体の位置変化を検出する操作検知部１９に相当する手段として、ロータリーエンコーダ１９２を備えている。そして図１３の構成と異なり、本例ではロータリーエンコーダ１９２が水平に回転するように設置される。つまりロータリーエンコーダ１９２の回転軸が、外部記憶機器５０の長手方向に一致するように構成されている。
【００８１】
接続部１８は、外部記憶機器５０を接続可能なコネクタとして構成され、外部記憶機器５０の筐体に対する操作によって、その外部記憶機器５０の長手方向を回転軸とする方向に回転できるようになっている。そして接続部１８は、回転軸１９３の周りを回転するロータリーエンコーダ１９２に連結されている。つまり外部記憶機器５０が回転したときに、それに連動してロータリーエンコーダ１９２が回転するようになっている。
【００８２】
上記図１３の例と同様に、ロータリーエンコーダ１９２には、複数のスリット１９２ａが設けられている。そして二つのホトインタラプタ１９５，１９６から出力される光のオン／オフ信号は、スリット１９２ａを光が通過したときと通過しないときとで異なる波形となる。操作制御部２２では、各ホトインタラプタ１９５，１９６から出力された信号により、外部記憶機器５０の回転方向とその回転量（角度）とを判別することができる。
【００８３】
上記のような構成により、操作制御部２２では、外部記憶機器５０の筐体の位置変化を外部記憶機器５０になされた操作として検知することができる。そして外部記憶機器５０に記憶された操作データを読み出して、その操作データと外部記憶機器５０になされた操作とに基づいて、所定の動作を実行するためのコマンドを画像処理装置のメインＣＰＵ１１に与える処理を行う。例えば、検出したパルス数（つまり外部記憶機器５０の回転量）に応じて、メニュー選択の際の選択カーソルの移動速度を増減させるような設定が可能である。
【００８４】
次に、電子機器の操作装置を備えた画像処理装置の他の処理例として、操作データが外部記憶機器５０に記憶されていない場合、操作検知部１９にて検知した外部記憶機器５０に対する操作と、予め決められた操作データとに基づいて所定の動作を実行するためのコマンドを画像処理装置に与える動作を行うようにしてもよい。
【００８５】
ここでは上記の図１１のフローチャートにおいて、図１で検出部２０が外部記憶機器５０の接続を検出した後、ステップＳ２において、外部記憶機機器５０に記憶されている操作データを読み出す制御を行う。このときに外部記憶機器５０から操作データを読み出すことができれば、上記のように読み出した操作データに基づいて、外部記憶機器５０になされた操作に応じたコマンドをメインＣＰＵ１１に送信する動作を行う。
【００８６】
またこのとき、外部記憶機器５０に操作データが記憶されていない場合など、外部記憶機器５０から操作データを読み出すことができないときには、予め決められた操作データに基づいて、外部記憶機器５０になされた操作に応じたコマンドをメインＣＰＵ１１に送信する。予め決められた操作データは、例えばＲＯＭ１３に記憶されている。例えば外部記憶機器５０から操作データを読み出すことができないときに、外部記憶機器５０に対するデータの読み出し／書き込みを行わせることができる。
このように、外部記憶機器５０から操作データを読み出すことができる場合と、読み出すことができない場合とで切替を容易に行うことができ、操作性を向上させることができる。
【００８７】
また外部記憶機器５０から操作データを読み出す動作を行うことなく、操作装置もしくは操作装置が組み込まれた電子機器にて予め操作データを記憶保持しておき、外部記憶機器５０が接続され、その操作が行われたときに、操作検知部１９により検知された操作と、予め保持している操作データとに基づいて、外部記憶機器５０対する所定のデータの読出しもしくは書込みなどの特定のデータ処理を実行させるためのコマンドを電子機器に与えるように構成することもできる。ここでは、外部記憶機器５０に操作データを記憶させておく必要はない。この場合、接続部１８に対して外部記憶機器５０が挿入されていることを検出部２０により検出した際に、操作制御部２２は、当該外部記憶機器５０に対するデータリードもしくはライトを実行するものと解釈する。
【００８８】
例えば図６の構成により画像処理装置に操作装置が組み込まれている場合、操作装置の操作制御部２２では、外部記憶機器５０が接続部１８に接続されていることを検知し、さらにスイッチ（ＳＷ１）１９１が押されていることを検知したときに、例えば外部記憶機器５０内の画像をプリントさせる（ＵＳＢ ＴＯ ＰＲＩＮＴ）コマンドを画像処理装置のメインＣＰＵ１１に送信する。またスイッチ（ＳＷ２）１９１が押されていることを検知したときには、ＳＣＡＮ ＴＯ ＵＳＢを実行するコマンドをメインＣＰＵ１１に送信する。
【００８９】
この場合、コマンドを決定するための操作データは、画像処理装置本体のメモリに記憶させておくことができる。もしくは操作装置の操作制御部２２がアクセス可能な他のメモリに記憶させておくようにしてもよい。操作制御部２２では、外部記憶機器５０に対する操作を検知したときに、この操作データを参照して、外部記憶機器５０の操作に対応するコマンドを決定する。
なおこの場合にも、外部記憶機器５０に対する接続部１８及び操作検知部１９の構成は、図６の構成のみならず、図１３もしくは図１６の構成を適用することが可能である。
【００９０】
図１７は、本発明による電子機器の操作システムの一実形態を説明するための図である。
本例の操作システムは、上述した各実施例に係る電子機器の操作装置と、その電子機器の操作装置に接続可能な外部記憶機器５０とからなるものである。外部記憶機器５０としては、上記のようにＵＳＢメモリが適用可能である。
そして本例の外部記憶機器５０は、図４に示すごとくの構成に加えて、各種データや情報を表示するための表示部５７を備えている。ここでは外部記憶機器５０は、画像処理装置１０の接続部１８に接続されるコネクタ５２と、画像処理装置１０との通信制御を行うＩ／Ｆ部５３と、画像データなどが記憶されるフラッシュメモリ５６と、ＲＯＭ５５に記憶されている制御プログラムに基づいて、フラッシュメモリ５６からＩ／Ｆ部５３へのデータ読出及びＩ／Ｆ部５３からフラッシュメモリ５６へのデータ書込の制御を行うＣＰＵなどのデータ転送制御部５４と、フラッシュメモリ５６に記憶しているデータリストなどを表示する表示部５７とを備える。データ転送制御部５４は、画像処理装置１０のメインＣＰＵ１１との間で認証処理を行い、認証が成功した場合に通信部を介して画像処理装置１０とのデータ転送を許可する。
【００９１】
ここで外部記憶機器５０に記憶させておく操作データ、もしくは操作装置あるいは電子機器側に記憶させておく操作データには、外部記憶機器５０に保持されているデータ一覧を表示させるコマンドと、表示部５７に表示させたデータの一覧から、電子機器で所定の動作を行うためのデータを選択するコマンドとをそれぞれ外部記憶機器５０に対する操作に応じて設定する。そして更に上記の例と同様に、外部記憶機器５０に対する所定の操作が行われたときに、上記の操作で選択されたデータに対して所定のデータ処理（例えば画像処理装置によるプリントやＥメールによる送信）などを適宜定めておく。
【００９２】
これらのコマンドは、上記の例と同様に、操作装置の操作制御部２２が操作データに基づいて決定し、外部記憶機器用のコマンドであれば接続部１８を介してコマンドを外部記憶機器５０に送信する。外部記憶機器のデータ転送制御部５４では、送信されたコマンドに従って、フラッシュメモリ５６に保持されているデータを一覧にして表示部５７に表示させたり、表示したデータ一覧からの特定のデータを選択する動作を行う。この場合、データを一覧にして表示するときに、データリストをスクロールさせながら表示して、選択を受け付けるようにしてもよい。そしてさらに外部記憶機器５０に対して特定の操作が行われたときに、操作装置の操作制御部２２は操作データを参照し、その操作データに従う所定のコマンドを電子機器（画像処理装置など）に送信することにより、上記選択されたデータに対して所定のデータ処理を実行させることができる。
【００９３】
このようなシステムにより、ユーザは、外部記憶機器５０の表示部５７の表示を見ながら操作を行うだけで、外部記憶機器５０の記憶データのデータ処理や外部記憶機器５０へのデータ書き込みなどの処理を適宜実行させることができる。またこのようなシステムは、操作装置側に表示手段がないような構成に適用することもできる。
【図面の簡単な説明】
【００９４】
【図１】本発明による電子機器の操作装置を適用可能な画像形成装置の概略の構成を示す図である。
【図２】図１に示す画像処理装置の電気的構成を示すブロック図である。
【図３】外部記憶機器とのデータ通信の可否を検出する図２に示す検出部についてさらに説明するための図である。
【図４】外部記憶機器の構成例を示すブロック図である。外部記憶機器の例としてＵＳＢメモリが挙げられる。
【図５】本発明による電子機器の操作装置における外部記憶機器の接続部の構成例を示す図である。
【図６】本発明による電子機器の操作装置における外部記憶機器の接続部の構成例を示す図である。
【図７】外部記憶機器に対する操作により外部記憶機器を傾けた状態を示す図である。
【図８】本発明による電子機器の操作装置における外部記憶機器の接続部の更に具体的な構成例を示す図である。
【図９】図８の構成において外部記憶機器が傾けられたときの状態を説明するための図である。
【図１０】外部記憶機器に記憶させておく操作データの例を示す図である。
【図１１】本発明による電子機器の操作装置を備えた画像処理装置の処理例を説明するためのフローチャートである。
【図１２】本発明による電子機器の操作装置を備えた画像処理装置の他の処理例を説明するためのフローチャートで、図１１に示すステップＳ４の他の処理例を示すものである。
【図１３】本発明による電子機器の操作装置における外部記憶機器の接続部の他の構成例を示す図である。
【図１４】本発明による電子機器の操作装置における外部記憶機器の接続部の他の構成例を示す図である。
【図１５】接続部に接続された外部記憶機器傾けていったときのホトインタラプタから出力されるパルス波形の一例を示す図である。
【図１６】本発明による電子機器の操作装置における外部記憶機器の接続部の更に他の構成例を示す図である。
【図１７】本発明による電子機器の操作システムの一実形態を説明するための図である。
【符号の説明】
【００９５】
１０…画像処理装置、１１…メインＣＰＵ、１２…画像処理回路、１３…ＲＯＭ、１４…ＲＡＭ、１５…ＨＤＤ、１６…画像メモリ、１７…操作パネル、１８…接続部、１９…操作検知部、２０…検出部、２１…通信部、２２…操作制御部、２３…ＮＩＣ、２４…接続部基体、２４ａ…キャップ、２５…スプリング、２６…検出用基板、２６ａ…孔部、２７…ＵＳＢ端子ケーブル、２７ａ…コネクタ、２９…コントローラ、３０…外部記憶機器、３１…ドライバ、３２…Ａ／Ｄ変換器、４１…光量センサ、４２…ドライバ、４３…Ａ／Ｄ変換器、４４…画像メモリ、５０…外部記憶機器、５１…プルアップ抵抗、５２…コネクタ、５３…Ｉ／Ｆ部、５４…データ転送制御部、５５…ＲＯＭ、５６…フラッシュメモリ、５７…表示部、６０…クライアントＰＣ、１００…原稿読取部、１０１…原稿台、１０２…自動原稿搬送装置、１０３…第１の走査ユニット、１０４…第２の走査ユニット、１０５…光学レンズ、１０６…ＣＣＤラインセンサ、１１１…光源ランプユニット、１１２…光源ランプ、１１３…第１ミラー、１２１…第２ミラー、１２２…第３ミラー、１９１…スイッチ、１９２…ロータリーエンコーダ、１９２ａ…スリット、１９３…回転軸、１９４…回転軸支持部、１９５…第１ホトインタラプタ、１９６…第２ホトインタラプタ、１９７…スプリング、２００…画像形成部、２０１…定着ユニット、２０２…排紙ローラ、２０３…スイッチバック路、２０４…感光体ドラム、２０５…帯電ユニット、２０６…現像ユニット、２０７…転写器、２０８…クリーナ、２０９…レーザスキャンユニット（ＬＳＵ）、２１０…剥離器、２１１…加熱ローラ、２１２…ヒータ、２１３…加圧ローラ、２１４…温度センサ、２１５…半導体レーザ、２１６…ポリゴンミラー、２１７…モータ、２１８…速度センサ、２１９…現像ローラ、２２０…用紙給紙部、２２１…給紙トレイ、２２２，２２３…給紙トレイ、２２４…手差トレイ、２２５…両面ユニット、２２６…給紙ローラ、２２７…レジストローラ、２３０…後処理ユニット、２３０…後処理装置、２３１…トレイ、２４０…多段給紙ユニット。
【図１】
2008283254.tif 000003
【図２】
2008283254.tif 000004
【図３】
2008283254.tif 000005
【図４】
2008283254.tif 000006
【図５】
2008283254.tif 000007
【図６】
2008283254.tif 000008
【図７】
2008283254.tif 000009
【図８】
2008283254.tif 000010
【図９】
2008283254.tif 000011
【図１０】
2008283254.tif 000012
【図１１】
2008283254.tif 000013
【図１２】
2008283254.tif 000014
【図１３】
2008283254.tif 000015
【図１４】
2008283254.tif 000016
【図１５】
2008283254.tif 000017
【図１６】
2008283254.tif 000018
【図１７】
2008283254.tif 000019